(57)【要約】【課題】タップ選択器の集電接点を薄肉として材料費等を抑えられるようにすること。【解決手段】集電接点２、タップ切換支援接点３及び固定接点４を同じ厚みに形成する。しかも、集電接点、タップ切換支援接点及び固定接点が絶縁回転軸１に対して直交する方向に一直線に並ぶ平らな空間を接点配置空間とし、上下対称構造のローラコンタクト装置５の上側では、ローラ軸１２を絶縁回転軸側から離れるに連れて接点配置空間の上面から遠ざかる傾斜状態に設ける。そして、傾斜状態のローラ軸１２の軸線Ｌ２と、絶縁回転軸の軸線Ｌ１と、ローラ１３の固定接点用接触部２３の接触点Ａと集電接点用接触部２５の接触点Ｃを通過する直線Ｌ３を一点Ｐで交差させ、この交差させた状態を維持する大きさに固定接点用接触部、タップ切換支援接点用接触部２４及び集電接点用接触部の各接触点Ａ、Ｂ、Ｃにおける直径を形成するタップ選択器。【選択図】      図１
2010251642.tif 000002
【特許請求の範囲】
【請求項１】
中心となる絶縁回転軸（１）を基準にしてその外周をリング状の集電接点（２）、複数のタップ切換支援接点（３）及び複数の固定接点（４）で順番に取り囲み、筒状とした上下のローラ（１３）を備えるローラコンタクト装置（５）を絶縁回転軸（１）に固定し、  常時、ローラコンタクト装置（５）が一定の上下対称構造を維持しながら、タップ定常状態の場合には集電接点（２）と選択した固定接点（４）を、タップ切換状態の場合には一時的に前記した３つの接点を上下のローラ（１３）でそれぞれ挟持するものであって、  上下対称構造のローラコンタクト装置（５）の上側では、各ローラ（１３）に集電接点用接触部（２５）、タップ切換支援接点用接触部（２４）及び固定接点用接触部（２３）を設け、直径を固定接点用接触部（２３）＞タップ切換支援接点用接触部（２４）＞集電接点用接触部（２５）の大小関係に形成し、絶縁回転軸（１）に固定するボディ（１１）の上側には収容穴（１９）をあけ、収容穴（１９）にローラ軸（１２）の基部を収容すると共に、ローラ軸（１２）の先部を固定接点（４）の上に向かって延長し、筒状のローラ（１３）をローラ軸（１２）の先部にベアリング（１４）を介して回転可能に支持し、ローラ（１３）に下向きの接触圧を与える加圧具（１５）をローラ軸（１２）の中間部に固定し、加圧具（１５）を介してローラ軸（１２）を下向きに押圧するバネ材（１６）をボディ（１１）と加圧具（１５）に取り付け、バネ材（１６）によるローラ軸（１２）の加圧点（Ｄ）が、集電接点用接触部（２５）の集電接点（２）への接触点（Ｃ）と固定接点用接触部（２３）の固定接点（４）への接触点（Ａ）とを結ぶ直線の中間点（Ｂ）の真上位置にあるタップ選択器において、
集電接点（２）、タップ切換支援接点（３）及び固定接点（４）を同じ厚みに形成し、
集電接点（２）、タップ切換支援接点（３）及び固定接点（４）が絶縁回転軸（１）に対して直交する方向に一直線に並ぶ平らな空間を接点配置空間とし、
上下対称構造のローラコンタクト装置（５）の上側では、ローラ軸（１２）を絶縁回転軸（１）側から離れるに連れて接点配置空間の上面から遠ざかる傾斜状態に設けると共に、傾斜状態のローラ軸（１２）の軸線（Ｌ２）と、絶縁回転軸（１）の軸線（Ｌ１）と、固定接点用接触部２３の接触点（Ａ）と集電接点用接触部（２５）の接触点（Ｃ）を通過する直線（Ｌ３）を一点（Ｐ）で交差させ、この交差させた状態を維持する大きさに固定接点用接触部（２３）、タップ切換支援接点用接触部（２４）及び集電接点用接触部（２５）の各接触点（Ａ、Ｂ、Ｃ）における直径を形成してあることを特徴とするタップ選択器。
【発明の詳細な説明】
【技術分野】
【０００１】
本発明は、変圧器や電圧調整器の一部品である負荷時タップ切換器のタップ選択器に関する。
【背景技術】
【０００２】
上述したタップ選択器としては、次のものが公知となっている（特許文献１）。これは、図８に示すように、絶縁回転軸８１を中心にして外側に向かって順に集電接点８２、タップ切換支援接点８３及び固定接点８４を配置してある。このうち内周側の集電接点８２は図９に示すようにＰ字状の平板のうちのリング状部分であって、その外周にタップ切換支援接点８３を一体に連続してある。そして、タップ切換支援接点８３は、円周方向に沿って切換支援接点本体部８３ａとそれより薄肉の非接触部分８３ｂを交互に複数設けてある。そして、各非接触部分８３ｂの外周近傍に固定接点８４が、円周方向に間隔をおいて設けてある。
【０００３】
また、図８に示すように絶縁回転軸８１には、これら各接点を挟持可能なローラコンタクト装置８５が固定してある。ローラコンタクト装置８５は上下対称構造であって、各接点を上下から挟持する上下のローラ８６を保持している。各ローラ８６はその中心に挿通されたローラ軸８７に回転可能に支持されている。ローラ軸８７は絶縁回転軸８１側から放射状に延長しており、ローラ軸８７の一端部は絶縁回転軸８１に固定したボディ８８に収容されている。また、上側のローラ軸８７の中間部には加圧具８９が固定され、加圧具８９がローラ８６の上方を覆っている。下側のローラ軸８７も同様である。そして、上側及び下側の加圧具８９をそれぞれ板バネ９１で上下から抑えることにより、上下のローラ８６で各接点を挟む力を与えている。
【０００４】
各ローラ８６は集電接点用、タップ切換支援接点用及び固定接点用の各接触部９２、９３、９４を有している。各接触部の直径は、固定接点用接触部９４＞タップ切換支援接点用接触部９３＞集電接点用接触部９２の大小関係に形成してある。一方、上下のこれら各接触部に挟まれる各接点の肉厚を、固定接点８４＜支援接点本体部８３ａ＜集電接点８２の大小関係に形成してある。タップ切換時にはローラコンタクト装置８５が絶縁回転軸８１と一緒に回転するが、このような大小関係にすることによって、常時少なくとも２つの接点を上下のローラ８６で挟み、上下のローラ８６の平行な状態を維持しながらタップが切り換えられる。
【先行技術文献】
【特許文献】
【０００５】
【特許文献１】特開２００７−１１５９１９号公報
【発明の概要】
【発明が解決しようとする課題】
【０００６】
ところが、従来のものは、上下のローラ８６に挟まれる接点の肉厚を、絶縁回転軸８１に近づくほど厚くしてある、つまり固定接点８４＜支援接点本体部８３ａ＜集電接点８２の大小関係に形成してある。このため、集電接点８２は、材料の板厚が最も厚く且つ質量も重くなり、材料費が増大することになった。定格通過電流の観点から言えば、集電接点８２の肉厚は、固定接点のそれと同じで十分である。
【０００７】
また、集電接点８２とそれより薄肉のタップ切換支援接点８３とは連続する一体物であること、及びタップ切換支援接点８３がタップ切換支援接点本体部８３ａとそれより薄肉の非接触部分８３ｂを円周方向に交互に設けていることから、一体物の集電接点８２及びタップ切換支援接点８３が３次元の複雑な形状となり、加工費が増大することになった。
【０００８】
本発明は上記実情を考慮してなされたもので、その目的は集電接点の材料費及び加工費を抑えられるようにすることである。
【課題を解決するための手段】
【０００９】
本発明は、下記のタップ選択器を前提とする。すなわち、中心となる絶縁回転軸を基準にしてその外周をリング状の集電接点、複数のタップ切換支援接点及び複数の固定接点で順番に取り囲み、筒状とした上下のローラを備えるローラコンタクト装置を絶縁回転軸に固定し、常時、ローラコンタクト装置が一定の上下対称構造を維持しながら、タップ通電状態の場合には集電接点と選択した固定接点を、タップ切換状態の場合には一時的に前記した３つの接点を上下のローラでそれぞれ挟持するものであって、上下対称構造のローラコンタクト装置の上側では、各ローラに集電接点用接触部、タップ切換支援接点用接触部及び固定接点用接触部を設け、直径を固定接点用接触部＞タップ切換支援接点用接触部＞集電接点用接触部の大小関係に形成し、絶縁回転軸に固定するボディの上側には収容穴をあけ、収容穴にローラ軸の基部を収容すると共に、ローラ軸の先部を固定接点の上に向かって延長し、筒状のローラをローラ軸の先部にベアリングを介して回転可能に支持し、ローラに下向きの接触圧を与える加圧具をローラ軸の中間部に固定し、加圧具を介してローラ軸を下向きに押圧するバネ材をボディと加圧具に取り付け、バネ材によるローラ軸の加圧点が、集電接点用接触部の集電接点への接触点と固定接点用接触部の固定接点への接触点とを結ぶ直線の中間点の真上位置にあるタップ選択器である。
【００１０】
そして、集電接点、タップ切換支援接点及び固定接点を同じ厚みに形成し、集電接点、タップ切換支援接点及び固定接点が絶縁回転軸に対して直交する方向に一直線に並ぶ平らな空間を接点配置空間とし、上下対称構造のローラコンタクト装置の上側では、ローラ軸１３を絶縁回転軸側から離れるに連れて接点配置空間の上面から遠ざかる傾斜状態に設けると共に、傾斜状態のローラ軸の軸線と、絶縁回転軸の軸線と、固定接点用接触部の接触点と集電接点用接触部の接触点を通過する直線を一点で交差させ、この交差させた状態を維持する大きさに固定接点用接触部、タップ切換支援接点用接触部及び集電接点用接触部の各接触点における直径を形成してあることを特徴とする。
【発明の効果】
【００１１】
本発明は、集電接点、タップ切換支援接点及び固定接点を同じ厚みに形成してあるので、従来に比べて集電接点の材料費及び加工費を抑えられる。
また、これら３つの接点を同じ厚みにしながらも、ローラ軸の軸線方向が一定の傾斜状態となるように各接触部の接触点における直径を形成してあるので、理論上、ローラが各接点を滑ることなく転がる。
【図面の簡単な説明】
【００１２】
【図１】（イ）〜（ハ）図は、本発明のタップ選択器の一部切欠側面図で、タップ定常状態、タップ切換中の３点が同時接触中の状態、タップ切換中の中間位置の導通断の状態を示す。
【図２】（イ）〜（ハ）図は、本発明のタップ選択器を示す斜視図で、タップ定常状態、タップ切換中の固定接点からローラが離れる直前の状態、タップ切換中の中間位置の導通断の状態を示す。
【図３】（イ）（ロ）図は、ローラコンタクト装置の分解図、組立図を示す。
【図４】（イ）（ロ）図は、ローラアッセンブリの分解図、組立図を示す。
【図５】集電接点が含まれるＰ字状の平板を示す斜視図である。
【図６】奇数側と偶数側のタップ選択器を示す斜視図である。
【図７】ローラの各接触点における半径と、絶縁回転軸の軸線から各接触点までの距離との関係を示す説明図である。
【図８】（イ）〜（ハ）図は、従来のタップ選択器の一部切欠側面図で、タップ定常状態、タップ切換中の３点が同時接触中の状態、タップ切換中の中間位置の導通断の状態を示す。
【図９】従来のタップ選択器で用いられた、集電接点が含まれるＰ字状の平板を示す斜視図である。
【発明を実施するための形態】
【００１３】
タップ選択器は図６に示すように、奇数タップ用Ｔ１と偶数タップ用Ｔ２とが左右に隣り合わせに設置されたものである。そして、奇数タップ用Ｔ１及び偶数タップ用Ｔ２のそれぞれについて次のように同様の構成としてある。つまり、中心となる絶縁回転軸１を基準にしてその外周の離れた位置を集電接点２で取り囲み、集電接点２の外周には円周方向に間隔をおいて複数のタップ切換支援接点３を放射状に突出して設けてある。また、隣り合うタップ切換支援接点３、３の間の空間部よりも外周の離れた位置に固定接点４の円周方向大部分を配置してある。固定接点４の円周方向の端部分に対応する内周側には、タップ切換支援接点の端部分が対向するように配置されている。従って、固定接点４とタップ切換支援接点３は円周方向に沿って千鳥状でありながらも、端部分が対向するように配列されている。このような配列がなされた上で、絶縁回転軸１にはローラコンタクト装置５を外向きに突出して固定してある。
【００１４】
集電接点２とタップ切換支援接点３は図１、図５又は図６に示すように、Ｐ字状の平板からなる一体物の部品としてある。これは、帯状の平板からＰ字状に切り出したものである。そして、Ｐ字状のうちＣ字状というかリング状の部分、即ち絶縁回転軸１を円周状に囲む部分のうち、内周部を集電接点２とし、円周状に囲む部分のうち外周部、すなわち円周方向に間隔をあけて配置する複数の円弧帯状部分をタップ切換支援接点３としてある。また、集電接点２の剛性を担保する補強部６がタップ切換支援接点３に連続して設けてある。補強部６は、タップ切換支援接点３から絶縁回転軸１を中心とする放射状方向に延長し、固定接点４とは非接触の絶縁状態を保ちながら、隣り合う固定接点４、４の間を通過している。
【００１５】
一方、Ｐ字状の平板のうち、そのリング状以外の部分（リング状部分から直線的に延びる部分）を、取付部７としてある。このＰ字状の平板は、図２又は図６に示すように絶縁取付板８の上に配置され、取付部７と絶縁取付板８との間、並びに補強部６の先端部と絶縁取付板８との間にブロック状のスペーサ９をそれぞれ介在し、取付部７及び補強部６を絶縁取付板８にスペーサ９ごとそれぞれボルト止めしてある。なお、図示しないが、絶縁取付板８は負荷時タップ切換器全体のフレームシャフトに連結される。
【００１６】
固定接点４は図１に示すように集電接点２と同じ肉厚の平板である。そして、固定接点４は、その内周部分が正に固定接点４としての機能を果たす部分となり、その外周部分が取付部分となる。この取付部分を図６に示すように、集電接点２と同様にその下面にスペーサ９を介して絶縁取付板８に対してボルト止めしてある。
【００１７】
このように集電接点２、タップ切換支援接点３及び固定接点４は、同じ厚みとしてあり、しかも、絶縁回転軸１に対して直交する方向に一直線に並んでいる。この一直線に並ぶ平らな空間を接点配置空間と称する。
【００１８】
ローラコンタクト装置５は図１に示すように上下対称構造であって、集電接点２の内周側を回転領域とするボディ１１を絶縁回転軸１に固定し、接点配置空間を基準にして上下対称的に各種部品をボディ１１に取り付けたものである。これ以降、対称的な部分は上側部分のみを説明する。図１〜図３又は図６に示すようにボディ１１の上側にはローラ軸１２の基部を収容し、ローラ軸１２の先部を固定接点４の上まで放射状に延長し、ローラ軸１２の先部にベアリング１４を介して筒状のローラ１３を回転可能に支持してある。また、各ローラ軸１２の中間部には加圧具１５を固定してある。従って、ローラ軸１２とローラ１３とベアリング１４と加圧具１５が一体化されたローラアッセンブリとなっている。その上、バネ材である板バネ１６の基部をボディ１１の上面側にボルト止めし、板バネ１６の先部を加圧具１５に係止してある。これにより、板バネ１６の下向きの押圧力を、ローラ軸１２と一体化された加圧具１５からローラ１３に伝え、各接点に対する下向きの接触圧をローラ１３に与えている。
【００１９】
ボディ１１は図１又は図３に示すようにブロック状で、上下に貫通する抜穴１７に絶縁回転軸１を通して側面から止めネジ１８で固定してある。また、ボディ１１はその上面にはローラ軸１２の基部を保持する収容穴１９を形成してある。収容穴１９は、絶縁回転軸１側から放射状に形成してある。また、収容穴１９に対するローラ軸１２の嵌り込み具合は、絶縁回転軸１を中心とする円周方向においては、遊びのある状態であり、上下方向（深さ方向）においては、その遊びよりも広い余裕がある。つまり、絶縁回転軸１側から離れるにつれて接点配置空間の上面との距離が広がるようにローラ軸１２を傾斜した状態で保持する程度の余裕がある。しかも、収容穴１９の深さを保持しながらもその余裕を取るために、ローラ軸１２の基部を小径にしてその底面が水平となるようにしてある。そして、このような収容穴１９の上を塞ぐ板状のバネ座２１をボディ１１の上面に載せ、バネ座２１の上に２枚重ねの板バネ１６の基部を載せ、バネ座２１と板バネ１６をボディ１１に、スプリングワッシャ２２ａを介してボルト２２で止めてある。なお、図示しないが、ボディ１１とバネ座２１は一体のブロックであっても良い。
【００２０】
各ローラ１３は図１又は図４に示すように、その直径を、絶縁回転軸１の中心に向かって三段階に小径に形成してある。つまり、直径の大きさは、固定接点用接触部２３＞タップ切換支援接点用接触部２４＞集電接点用接触部２５の大小関係である。そして、図１（ロ）に示すように、固定接点用接触部２３と集電接点用接触部２５の外周面については、ローラ軸１２から離れる方向に膨らむ形状のＲが付いており、それぞれ接触点Ａ、Ｃで固定接点４と集電接点２に点接触する。また、タップ切換支援接点用接触部２４は接触点Ａ、Ｃを結ぶ直線の中間点が接触点Ｂとなるように、外周面を形成してある。図では、外周面のうち絶縁回転軸１に近い方のほぼ半分が、ローラ軸１２の基部に向かって尻すぼみに小径となるテーパー状に形成され、一方、外周面のうち絶縁回転軸１から遠い方のほぼ半分が逆のテーパー状に形成されている。タップ切換支援接点用接触部２４は、定格通過電流とは無関係であり、所望の接触圧を与える必要がないので、一点のみで点接触する必然性はない。従って、タップ切換支援接点用接触部２４は、接触点Ｂを含むテーパー面の線分で接している。
【００２１】
その上、傾斜状態のローラ軸１２の軸線Ｌ２と、絶縁回転軸１の軸線Ｌ１と、接点配置空間の上面の延長方向（接触点Ａ、Ｂ、Ｃを通過する直線Ｌ３）とを一点Ｐで交差させ、この交差させた状態を維持する大きさに、固定接点用接触部２３、タップ切換支援接点用接触部２４及び集電接点用接触部２５の各接触点Ａ、Ｂ、Ｃにおける直径を形成してある。より詳しく説明する。図７に示すように、絶縁回転軸１の軸線Ｌ１から各接触点Ａ、Ｂ、Ｃまでの距離をＫ２３、Ｋ２４、Ｋ２５とし、ローラ軸１２の軸線Ｌ２から各接触点Ａ、Ｂ、Ｃまでの距離（半径）をＲ２３、Ｒ２４、Ｒ２５とし、絶縁回転軸１の回転角をθ１、ローラ１３の回転角をθ２とする。絶縁回転軸１の回転に伴ってローラ１３が各接点の上を滑ることなく転がる場合、円弧長の公式より以下の関係式が成立する。
θ１＝θ２×Ｒ２３／Ｋ２３＝θ２×Ｒ２４／Ｋ２４＝θ２×Ｒ２５／Ｋ２５
上記関係式から次の関係式が成立する。
Ｒ２３／Ｋ２３＝Ｒ２４／Ｋ２４＝Ｒ２５／Ｋ２５
従って、各接触点Ａ、Ｂ、Ｃにおける直径をこのようにすることによって、集電接点２、タップ切換支援接点３及び固定接点４が同じ肉厚であっても、絶縁回転軸１を回した場合に、ローラ１３が各接点２，３，４の表面を滑ることなく転がる。
【００２２】
また、ローラ１３は、筒状となっており、その中央部に軸通し孔２６がローラ軸１２の先部を挿通するために設けてある。軸通し孔２６は、タップ切換支援接点用接触部２４の内側に相当する部分をローラ軸１２よりも僅かに大径に形成し、固定接点用接触部２３と集電接点用接触部２５の内側に相当する部分をタップ切換支援接点用接触部２４のそれより段差状に大径に形成して、ベアリング１４をそれぞれ収容する。なお、タップ切換支援接点用接触部２４と集電接点用接触部２５の間には図１（ハ）に示すように集電接点用接触部２５のＲをつけるために必要な分だけ余剰部分Ｚが介在している。
【００２３】
ベアリング１４は図１又は図４に示すように、ローラ軸１２とローラ１３の間に位置決めされた状態で収容される。固定接点用接触部２３の内部に収容されるベアリング１４はボールベアリングであり、止め輪２７により位置決めされ、止め輪２７がローラ軸１２の先部の溝に嵌められている。一方、集電接点用接触部２５の内部に収容されるベアリング１４はニードルベアリングであり、加圧具１５により位置決めされ、加圧具１５がローラ軸１２に固定されている。
【００２４】
加圧具１５は図２又は図４に示すように、ローラ軸１２と同様に傾斜している。また、加圧具１５はブロック状であって、絶縁回転軸１に近いその基部をローラ軸用取付部２８とし、絶縁回転軸１から遠いその先部をバネ材用係止部２９としてある。
【００２５】
ローラ軸用取付部２８は図１又は図４に示すように、ローラ軸１２の基部を挿入する差込孔３１を絶縁回転軸１側の面の横幅中央部に有すると共に、ローラ軸１２に対して直交する方向に貫通するネジ孔３２を上面に有する。一方、ローラ軸１２にもネジ孔３２に対向する面に位置決め穴３３が凹んで形成されている。拘束ネジ３４をネジ孔３２からねじ込み、拘束ネジ３４の先部を位置決め穴３３に嵌め込むことにより、ローラ軸１２に加圧具１５が固定される。
【００２６】
また、バネ材用係止部２９は図１又は図３に示すように、その底面には下向きに開口する凹溝部３５を備えている。凹溝部３５には、集電接点用接触部２５とタップ切換支援接点用接触部２４の基部側がその上方及び左右側方に隙間をあけて収容される。このようにして、集電接点用接触部２５とタップ切換支援接点用接触部２４の上方及び左右側方が覆われる。
【００２７】
バネ材用係止部２９の先端上面は、図１に示すように側面視して、板バネ１６による加圧点Ｄとなる。この加圧点Ｄは、タップ切換支援接点用接触部２４の接触点Ｂの真上位置であり、このようにすることによって、タップ定常状態においては板バネ１６による下向き荷重Ｗは等分されて外周側の接触点Ａと内周側の接触点Ｃに１／２Ｗづつ作用し、一方、タップ切換え途中においては板バネ１６による下向き荷重の大半は中央の接触点Ｂにそのまま作用する。従って、タップ定常状態においても、タップ切換え途中においても、上下のローラ１３やローラ軸１２は一定の傾斜状態が維持される。
【００２８】
バネ材用係止部２９の上面は、図４に示すように加圧点Ｄよりも絶縁回転軸１側に嵌合穴３６を左右に間隔をあけて形成してある。各嵌合穴３６に係止ピン（断面Ｃ字状のスプリングピン）３７の下部が圧入され、上部がバネ材用係止部２９から上方に突出した状態で係止ピン３７は固着される。
【００２９】
バネ材である板バネ１６は図１又は図６に示すように、その基部を水平に形成し、その中間部を絶縁回転軸１から離れるにつれて上昇するように傾斜させ、その先部をほぼ水平に形成してある。板バネ１６は、前述したようにその基部がバネ座２１を介してボディ１１に固着されている。この固着状態において、板バネ１６は、その先端がバネ材用係止部２９よりも絶縁回転軸１側から離れるように延長していると共に、その先部がバネ材用係止部２９の先端上面によって少し上側に曲げられて全体として下向きの復元力が発生する状態となっている。これにより、バネ材用係止部２９の先端上面が加圧点Ｄとなり、この加圧点Ｄに下向きの加圧力が発生する。また、板バネ１６の先部には、各係止ピン３７に対応する箇所に係止孔３８が形成してある。係止孔３８には、係止ピン３７が遊びのある状態で嵌り込む。また、このように嵌り込むことによって、ローラ軸１２を含むローラアッセンブリを絶縁回転軸１から離れる方向及び絶縁回転軸１を中心とする円周方向に移動不能に拘束する。
【００３０】
上述したタップ選択器は次のようにしてタップを切り換える。図１（イ）又は図２（イ）に示すように、タップ定常状態においてはローラコンタクト装置５の上下のローラ１３が集電接点２と選択した固定接点４の横幅中央を点接触の形態で挟持する。タップ定常状態から、タップを切換えるために絶縁回転軸１を回転させると、ローラコンタクト装置５が一緒に回転する。そしてローラコンタクト装置５の上下のローラ１３で挟持する接点が次のように段階的に変更する。つまり、挟持する接点が、（イ）図のように集電接点２と切換前に選択した固定接点４の段階、（ロ）図のように切換前の固定接点４を含む３つの接点の段階、（ハ）図のように集電接点２とタップ切換支援接点３の段階、再び（ロ）図のように切換後の固定接点４を含む３つの接点の段階、最後に（イ）図のように集電接点２と切換後の固定接点４の段階のように変更しながら、タップが切り換わる。なお、タップ切換支援接点３の幾つかには補強部６が放射状に連続していることから、タップが切り換わるときに、ローラコンタクト装置５が集電接点２、タップ切換支援接点３、補強部６の３点を挟持することもある。但し、切換中のローラコンタクト装置５は通電が遮断されているので、問題はない。
【００３１】
また、タップ選択器は、ローラコンタクト装置５が一定の上下対称構造を維持しながら、タップを切り換えることができ、このとき、上下のローラ１３が滑り無く各接点２〜４の上を転がるものである。従って、ローラコンタクト装置５は、ローラ１３の回転時に負荷となるのはベアリング１４による転がり摩擦であることと、回転面（接点２〜４の上下面）に対する上下運動が無いことから、絶縁回転軸１を回転させるための駆動トルクは格段に小さくなり、接点の信頼性及び寿命も格段に向上する。
【００３２】
本発明は上記実施形態に限定されない。例えば、ローラコンタクト装置５は、上下のローラ１３を一組保有する構造であったが、二組保有する構造であっても良い。この場合、ボディ１１にローラ軸１２を並列させて保持させればよい。
【００３３】
また、板バネ１６と加圧具１５との係止は、係止ピン３７と係止孔３８の関係に限らず、従来の図８のように、加圧具１５の上面に嵌合溝を形成し、嵌合溝に嵌るように板バネ１６の先端部を下向きに屈曲させるものとしても良い。
【００３４】
さらに、ローラ１３に接触圧を与える加圧点Ｄの位置も、ローラ１３に対して上方位置に限らず、側方位置でも良い。図示しないがこの場合、加圧具には平面視してコ字状のものを、板バネにはネジリコイルバネをそれぞれ用いる。そして、コ字状の加圧具の中央片にローラ軸を挿通し、ネジで加圧具をローラ軸に固定することにより、コ字状の加圧具の内側にローラを配置する。また、コ字状の加圧具の左右側片の先端部を上向きに突出させ、この先端部をＵ字状としておく。その上で、ネジリコイルバネの中央の円筒コイル部をボディから側方に突出したバネ保持ピンに通して支持させる。ネジリコイルバネの円筒コイル部から加圧具に沿って延長する一端部を、先のＵ字状の先端部に係止する。一方、ネジリコイルバネの円筒コイル部からボディに沿って延長する他端部も同様にボディから突出したバネ保持ピンに係止させる。このようにしてネジリコイルバネで接触圧を発生させても良い。
【符号の説明】
【００３５】
１絶縁回転軸                          ２集電接点
３タップ切換支援接点                  ４固定接点
５ローラコンタクト装置                ６補強部
７取付部                              ８絶縁取付板
９スペーサ
１１ボディ                            １２ローラ軸
１３ローラ                            １４ベアリング
１５加圧具                            １６板バネ
１７抜穴                              １８止めネジ
１９収容穴
２１バネ座                            ２２ボルト
２２ａスプリングワッシャ
２３固定接点用接触部                  ２４タップ切換支援接点用接触部
２５集電接点用接触部                  ２６軸通し孔
２７止め輪                            ２８ローラ軸用取付部
２９バネ材用係止部
３１差込孔                            ３２ネジ孔
３３位置決め穴                        ３４拘束ネジ
３５凹溝部                            ３６嵌合穴
３７係止ピン                          ３８係止孔
【００３６】
Ｔ１奇数タップ用                      Ｔ２偶数タップ用
Ａ接触点                              Ｂ接触点
Ｃ接触点                              Ｄ加圧点
Ｌ１軸線                              Ｌ２軸線
Ｌ３直線                              Ｐ一点
【図１】
2010251642.tif 000003
【図２】
2010251642.tif 000004
【図３】
2010251642.tif 000005
【図４】
2010251642.tif 000006
【図５】
2010251642.tif 000007
【図６】
2010251642.tif 000008
【図７】
2010251642.tif 000009
【図８】
2010251642.tif 000010
【図９】
2010251642.tif 000011